(57)【要約】      （修正有）【課題】複数枚の非接触ＩＣカードを使い分けできるように収納する非接触ＩＣカード用ケースにおいて、カードリーダ等の外部装置へのアクセス利便性を高めるとともに、非接触ＩＣカードに記憶された個人情報が不正に読み取られないよう安全性を確保するＩＣカード用ケースを提供する。【解決手段】アンテナコイルを有する非接触ＩＣカード１を出し入れ自在に収納する収納部６をケース本体内４に形成し、前記収納部は仕切り部材５で複数に区画されて複数枚の非接触ＩＣカードを収納するようにした非接触ＩＣカード用ケースであって、前記仕切り部材に電磁波防止シートを設けるとともに、前記非接触ＩＣカードを収納部内でスライドさせて、アンテナコイルの全部が電磁波防止シートと重合する位置と少なくともその一部が電磁波防止シートの一端から露出する位置とに移動する操作手段９を設けた。【選択図】図１
0003160027.tif 000002
【実用新案登録請求の範囲】
【請求項１】
アンテナコイルを有する非接触ＩＣカードを出し入れ自在に収納する収納部をケース本体内に形成し、前記収納部は仕切り部材で複数に区画されて複数枚の非接触ＩＣカードを収納するようにした非接触ＩＣカード用ケースであって、前記仕切り部材に電磁波防止シートを設けるとともに、前記非接触ＩＣカードを収納部内でスライドさせて、アンテナコイルの全部が電磁波防止シートと重合する位置と少なくともその一部が電磁波防止シートの一端から露出する位置とに移動する操作手段を設けたことを特徴とする非接触ＩＣカード用ケース。
【請求項２】
前記ケース本体を透明な部材で形成したことを特徴とする請求項１記載の非接触ＩＣカード用ケース。
【請求項３】
前記操作手段は、ケース本体に形成した長孔と非接触ＩＣカードに取り付けた操作摘みとを備え、該操作摘みを長孔を介してケース本体表面に突出するように構成したことを特徴とする請求項１記載の非接触ＩＣカード用ケース。
【考案の詳細な説明】
【技術分野】
【０００１】
本考案は、外部装置が発信する電磁波を利用して外部装置と非接触で通信することができる非接触ＩＣカードケースに関し、特に複数枚の非接触ＩＣカードを収納し、必要なカードのみを使用できるようにした非接触ＩＣカード用ケースに関するものである。
【背景技術】
【０００２】
近年、アンテナコイルとＩＣチップとを内蔵した非接触ＩＣカードが、交通機関の改札システム、金融機関のクレジットカードなど多様な用途に普及してきている。
非接触ＩＣカードの所有者は、例えば交通機関の改札機のカードリーダに非接触ＩＣカードをかざすと、非接触ＩＣカードとカードリーダを介した制御システム側との間でＩＤ情報の交換と必要なデータの通信が行われ、改札ゲートの適切な開閉処理が行われる。
このように、非接触ＩＣカードは、接触式ＩＣカードに比べて、カードリーダにかざすだけの簡便な操作で使用できる利点がある。
【０００３】
しかし、例えば、非接触ＩＣカードに互換性の無い複数の鉄道に乗り継いで利用する場合、あるいは鉄道で移動して金融機関のクレジットを使用する場合は、異なる種類の非接触ＩＣカードを複数枚所持しなければならないが、ＩＣカードケース内に複数枚重ねて収納すると、改札通過時に複数枚の非接触ＩＣカードが同時に受信してしまい、全ての非接触ＩＣカードが無応答状態になってしまう問題が生ずる。
【０００４】
上記問題を解決するために、下記特許文献１および２に示すように、２枚の非接触ＩＣカードを使い分けるために導電性シートと磁性シートを組み合わせ、通信調整板で相互干渉を防ぎ、必要な非接触ＩＣカードのみを使用できるようにしたもの（以下従来例という）が提案されている。
【０００５】
また、混雑した電車の中で他の乗客がカードリーダを所持していれば、その乗客に近づくだけで、本人が気づかないうちに各人が所有する非接触ＩＣカードの個人情報等が簡単に盗まれてしまう危険性があり、非接触ＩＣカードと外部装置との通信を所有者が行いたい場合にのみ通信を可能とし、使用する意思がない場合は通信を遮断する等セキュリティを考慮したものが望まれている。
特に、鉄道改札等で使用する場合は、人の流れを澱ませず、アクセス利便性と安全性を両立されたものが要望される。
【先行技術文献】
【特許文献】
【０００６】
【特許文献１】特開2007-12012号公報
【特許文献２】特開2008-310656号公報
【考案の概要】
【考案が解決しようとする課題】
【０００７】
しかしながら、上記特許文献１、２に記載された従来例は、何れも表裏それぞれ、導電性シート側と磁性シート側とに使い分け、片方が常時使用側、他方が常時収納側として使い分けをしているが、使用側のセキュリティが考慮されていない。また非接触ＩＣカードを他の使用するものに交換する場合は、使用する前に常時使用側に入れ替えておく作業が発生し、利便性の面で課題が残っている。
【０００８】
本考案は、上記課題を解決するもので、利便性と安全性を両立するようにした非接触ＩＣカード用ケースを提供することを目的とする。        
【課題を解決するための手段】
【０００９】
本考案は、アンテナコイルを有する非接触ＩＣカードを出し入れ自在に収納する収納部をケース本体内に形成し、前記収納部は仕切り部材で複数に区画されて複数枚の非接触ＩＣカードを収納するようにした非接触ＩＣカード用ケースであって、前記仕切り部材に電磁波防止シートを設けるとともに、前記非接触ＩＣカードを収納部内でスライドさせて、アンテナコイルの全部が電磁波防止シートと重合する位置と少なくともその一部が電磁波防止シートの一端から露出する位置とに移動する操作手段を設けたことを特徴としたものである。
【００１０】
また、本考案は、前記ケース本体を透明な部材で形成したことを特徴としたものである。
【００１１】
更に、本考案は、前記操作手段はケース本体に形成した長孔と非接触ＩＣカードに取り付けた操作摘みとを備え、該操作摘みを長孔を介してケース本体表面に突出するように構成したことを特徴としたものである。
【考案の効果】
【００１２】
請求項１の構成により、使用に際しては、非接触ＩＣカードをスライド移動してケース本体の一端からその一部を露出させるだけで、すなわちケース本体から取り出すことなく使用できるので、利便性が向上し、しかも使用の意思がないときには、非接触ＩＣカードをケース本体に収納しておくだけで、当該非接触ＩＣカードに記憶された個人情報を不正に読み取られてしまうことも防止できて安全性も向上する。
【００１３】
また、請求項２の構成により、ケース本体内に収納した非接触ＩＣカードの種類が視覚的に確認できて、複数枚の異なる非接触ＩＣカードの使用間違いを防止できる。
【００１４】
更に、請求項３の構成により、常に突起が長孔に係合しているので、不用意に非接触ＩＣカードがケース本体から脱落することが無くなる。
【図面の簡単な説明】
【００１５】
【図１】本考案の実施例を示す斜視図
【図２】同上のＡ-Ａ断面図
【図３】同上のカード露出状態を示す斜視図
【図４】同上の非接触ＩＣカードの斜視図
【図５】同上のカード収納状態の動作説明図
【図６】同上のカード露出状態の動作説明図
【考案を実施するための形態】
【実施例】
【００１６】
以下、本考案の実施例を図１乃至図６に基づいて説明する。非接触ＩＣカード１は、図４に示すように、カード型の本体にＩＣチップ２と該ＩＣチップ２に接続されたアンテナコイル３が埋設されており、無線による電磁波を利用して、例えば鉄道の駅の改札機等の外部装置１０にかざすと、非接触でＩＣチップ２に記憶されたデータの読み書きができるようになっている。
【００１７】
すなわち、非接触ＩＣカード１を外部装置１０にかざすと、外部装置１０から非接触ＩＣカード１に誘導電磁波が照射され、非接触ＩＣカード１のアンテナコイル３が電磁誘導波を受信し、アンテナコイル３で誘導起電力が生じる。この誘導起電力が非接触ＩＣカード１の駆動電力となるとともに、誘導電磁波に重畳された電磁波によりＩＣチップ２に記憶されたデータが読み取られるのである。
【００１８】
ケース本体４は、図１および図２に示すように、非接触ＩＣカード１が出し入れできるように一端が開口したポケット状に形成されている。また、ケース本体４の内部は仕切り部材５で区画されて２つの収納部６、６が設けられ、２枚の異なる非接触ＩＣカード１、１を１枚づつ収納するようになっている。
【００１９】
上記ケース本体４は透明な塩ビシートで形成されており、このために、使用時にはケース本体４内に収納された非接触ＩＣカード１の種類が視覚的に確認できて、複数枚の異なる非接触ＩＣカード１、１の使用間違いを防止できるようになっている。
【００２０】
上記仕切り部材５は、ＰＥＴフイルム上に銅箔をエッチング加工して形成した電磁波防止シート７を塩ビシートの袋内に収納して構成され、該電磁波防止シート７に非接触ＩＣカード１のアンテナコイル３の全部が重合する位置にすると、電磁波防止シート７により非接触ＩＣカード１のアンテナコイル３が外部装置からの電磁誘導波を受信しないようになっている。また、電磁波防止シート７はケース本体４の開口端よりも外方へ長く突出させて確実に電磁波を遮蔽するようにしている。
【００２１】
上記ケース本体４の外壁面には、非接触カード１、１を出し入れする方向に長く形成した長孔８が設けられ、また２枚の非接触ＩＣカード１、１の夫々には操作摘み９が接着テープ等を使用して取り付けられており、該操作摘み９は長孔８を介してケース本体４の外表面に突出させて操作手段を構成している。
【００２２】
上記操作摘み９を外部から手動でスライド操作することにより、非接触ＩＣカード１を交互に１枚づつ収納部６内でスライド移動できるようになっており、非接触ＩＣカード１の不使用時には、図１に示すようにケース本体４の収納部６内に収納し、また使用時には、図３に示すように、非接触ＩＣカード１を収納部６内に保持した状態のままで、その一部をケース本体４の一端開口部から露出するように構成されている。
【００２３】
而して、図１に示す非接触ＩＣカード１、１が不使用時の収納状態では、２枚の非接触ＩＣカード１、１のアンテナコイル３、３の全部が電磁波防止シート７に重合するようになっている。この場合には、図５の矢印で示すように、アンテナコイル３が外部装置１０から照射された誘導電磁波を全く受信せず、ＩＣチップ２に記憶されたデータの読み書きができないようになっており、非接触ＩＣカード１に記憶された個人情報を不正に読み取られてしまうことが防止できる。
【００２４】
また、図３に示すように、いずれか１枚の非接触ＩＣカード１が使用時の露出状態では、非接触ＩＣカード１に埋設されたアンテナコイル３の一部が電磁波防止シート７の一端から外方へ露出するようになっている。この場合には、図６の矢印で示すように、露出した１枚の非接触ＩＣカード１のアンテナコイル３の露出部分が外部装置１０から照射された誘導電磁波を受信し、ＩＣチップ２に記憶されたデータの読み書きができるようになる。
【００２５】
なお、アンテナコイル３を非接触ＩＣカード１の片側に偏らせて配置し、その全部が露出するようにしてもよいが、少なくともその一部が電磁波防止シート７の一端から露出しておれば誘導電磁波を受信することができるので、本実施例では、アンテナコイル３を非接触ＩＣカード１の全面に配置している。
【００２６】
このように、使用に際しては非接触ＩＣカード１を手動操作でケース本体４からその一部を露出させるだけで、全部を取り出すことなく使用することができるので、利便性が向上するとともに、非接触ＩＣカード１に連結した操作摘み９が長孔８に係合しているので、誤って非接触ＩＣカード１がケース本体４から脱落してしまうことがない。
【００２７】
なお、上記実施例では、２枚の異なる非接触ＩＣカードを収納している事例を示しているが、本考案はこれに限定されるものでもなく、３枚以上を収納する非接触ＩＣカード用ケースにも適用できる。
また、上記実施例では、操作手段を操作摘みと長孔とで構成した事例を示しているが、本考案はこれに限定されるものではなく、例えば、長孔のみで操作手段を構成し、長孔に手指を入れて、直接非接触ＩＣカードをスライド移動するようにしても同様の作用効果を奏するのである。
【符号の説明】
【００２８】
１    非接触ＩＣカード    
２    ＩＣチップ
３    アンテナコイル
４    ケース本体
５    仕切り部材
６    収納部
７    電磁波防止シート  
８    長孔
９    操作摘み
１０  外部装置
【図１】
0003160027.tif 000003
【図２】
0003160027.tif 000004
【図３】
0003160027.tif 000005
【図４】
0003160027.tif 000006
【図５】
0003160027.tif 000007
【図６】
0003160027.tif 000008